(57)【要約】【課題】ホルダーとして、また、スタンドとして機能するアクセサリー本体を、携帯端末Ｔに対して適切に取り付け可能で、かつ、その取り外しも容易とする。【解決手段】雌部材１は、雄部材２の頸部１６は通過させるが頭部１５は通過させない幅の割溝８が形成された表板部６と、外面７ａを携帯端末Ｔの前記背面Ｔｂ側に対する取付面７ｄとした裏板部７とを、両者間に雄部材２の頭部１５を納める間隔を開けて組み合わさせてなる。割溝８の一端８ａと閉塞された他端８ｂとの間において、内蔵される弾性部材９ａによって抜け止め部９が形成されており、雄部材２の頭部１５を抜け止め部９を弾性変形させながら抜け止め部９より奥に導入されるようにしてなる。【選択図】図１
2020088560.tif 000002
【特許請求の範囲】
【請求項１】
携帯端末の表示面と反対の背面に直接又は間接的に取り付けられる雌部材と、
前記雌部材に取り外し可能に組み合わされる雄部材を備えてなるアクセサリー本体とからなり、
前記雄部材は、頭部と頸部とを備えており、
前記雌部材は、前記雄部材の前記頸部は通過させるが前記頭部は通過させない幅の割溝が形成された表板部と、外面を前記携帯端末の前記背面側に対する取付面とした裏板部とを、両者間に前記雄部材の前記頭部を納める間隔を開けて組み合わさせてなり、
前記割溝の一端は前記雌部材の前記表板部の縁部において外方に開放されており、前記割溝の前記一端から前記表板部と前記裏板部との間に前記雄部材の前記頭部を導入可能となっていると共に、
前記割溝の前記一端と閉塞された他端との間において、内蔵される弾性部材によって抜け止め部が形成されており、前記頭部は前記抜け止め部を構成する前記弾性部材を弾性変形させながら前記抜け止め部より奥に導入されるようにしてなる、携帯端末用アクセサリー。
【請求項２】
前記割溝の前記一端と前記他端との間に、前記割溝の連続方向に間隔を開けて二以上の抜け止め部を形成させてなる、請求項１に記載の携帯端末用アクセサリー。
【請求項３】
前記割溝は、前記一端と前記他端との間で屈曲しており、屈曲箇所と前記一端との間の第一部分に対し、前記屈曲箇所と前記他端との間の第二部分を直交させるように配しており、
前記抜け止め部を前記第二部分側に形成させてなる、請求項１又は請求項２に記載の携帯端末用アクセサリー。
【発明の詳細な説明】
【技術分野】
【０００１】
この発明は、スマートフォンやタブレットなどの一面を表示面とした板状の携帯端末における前記表示面と反対の背面に直接又は間接的に取り付けられて、この携帯端末のホルダーとしての機能、及び、スタンドとしての機能を発揮する携帯端末用アクセサリーに関する。
【背景技術】
【０００２】
スマートフォンなどの板状の携帯端末は、片手で持って操作することが少なくない。一方、こうした携帯端末は、その形態からそのままでは立て置くことができにくい。
【０００３】
携帯端末に取り付けられてこれを立て置くようにするアクセサリーとして特許文献１に示されるものがある。
【０００４】
また、携帯端末ケースの裏面に開閉可能な支持板を設けたものとして特許文献２に示されるものがある。
【先行技術文献】
【特許文献】
【０００５】
【特許文献１】特許第５５８０５０１号公報
【特許文献２】特開２０１７−１６３５１６号公報
【発明の概要】
【発明が解決しようとする課題】
【０００６】
この発明が解決しようとする主たる問題点は、前記のような携帯端末を、持つときはそのホルダーとして機能し、立て置くときはそのスタンドとして機能するアクセサリー本体を、携帯端末に対して適切に取り付け可能で、かつ、その取り外しも容易とするように備えてなる携帯端末用アクセサリーを提供する点にある。
【課題を解決するための手段】
【０００７】
前記課題を達成するために、この発明にあっては、携帯端末用アクセサリーを、携帯端末の表示面と反対の背面に直接又は間接的に取り付けられる雌部材と、
前記雌部材に取り外し可能に組み合わされる雄部材を備えてなるアクセサリー本体とからなり、
前記雄部材は、頭部と頸部とを備えており、
前記雌部材は、前記雄部材の前記頸部は通過させるが前記頭部は通過させない幅の割溝が形成された表板部と、外面を前記携帯端末の前記背面側に対する取付面とした裏板部とを、両者間に前記雄部材の前記頭部を納める間隔を開けて組み合わさせてなり、
前記割溝の一端は前記雌部材の前記表板部の縁部において外方に開放されており、前記割溝の前記一端から前記表板部と前記裏板部との間に前記雄部材の前記頭部を導入可能となっていると共に、
前記割溝の前記一端と閉塞された他端との間において、内蔵される弾性部材によって抜け止め部が形成されており、前記頭部は前記抜け止め部を構成する前記弾性部材を弾性変形させながら前記抜け止め部より奥に導入されるようにしてなるものとした。
【０００８】
雌部材を携帯端末に取り付けた状態から、割溝の一端より雄部材の頭部を雌部材内に導入すると、抜け止め部を構成する弾性部材に頭部を押し当てて弾性変形を生じさせることができる。そして、この弾性変形により、この抜け止め部よりも割溝の奥側、つまり、他端側に頭部を導入することができる。この抜け止め部よりも奥に頭部が導入されると、弾性部材が弾性復帰して雄部材の頭部が雌部材内に保持され、携帯端末の背面側にアクセサリー本体が取り付けられる。雄部材を回動中心としてアクセサリー本体の向きを変えることも可能とされる。携帯端末からのアクセサリー本体の取り外しや、交換が必要になった場合には、アクセサリー本体を把持するなどして前記割溝の一端側に雄部材の頭部を移動させるように操作することで、前記弾性部材を再び弾性変形させて、前記割り溝の一端側まで雄部材の頭部を移動させ、雄部材の頭部を雌部材内から抜き出させる。雄部材を備えたアクセサリー本体を複数用意しておけば、雌部材を取り付けた携帯端末に対し、所望のアクセサリー本体を交換・取り付けて、携帯端末を利用することが可能となる。
【０００９】
前記割溝の前記一端と前記他端との間に、前記割溝の連続方向に間隔を開けて二以上の抜け止め部を形成させておくことが、この発明の形態の一つとされる。
【００１０】
また、前記割溝は、前記一端と前記他端との間で屈曲しており、屈曲箇所と前記一端との間の第一部分に対し、前記屈曲箇所と前記他端との間の第二部分を直交させるように配しており、
前記抜け止め部を前記第二部分側に形成させておくことが、この発明の形態の一つとされる。
【発明の効果】
【００１１】
この発明によれば、前記のような携帯端末を、持つときはそのホルダーとして機能し、立て置くときはそのスタンドとして機能するアクセサリー本体を、携帯端末に対して適切に取り付け可能で、かつ、その取り外しも容易とするように携帯端末に付設させることができる。
【図面の簡単な説明】
【００１２】
【図１】図１は、この発明の一実施の形態にかかる携帯端末用アクセサリーを構成する雌部材と雄部材の斜視図である。
【図２】図２は、図１におけるＡ−Ａ線位置での断面図である。
【図３】図３は、図１におけるＢ−Ｂ線位置での断面図である。
【図４】図４は、前記雌部材と雄部材の斜視図であり、雌部材を分解して示している。
【図５】図５は、前記携帯端末用アクセサリーの使用状態を示した側面構成図であり、アクセサリー本体と携帯端末とは分離されている。
【図６】図６は、前記携帯端末用アクセサリーの使用状態を示した側面構成図であり、アクセサリー本体は携帯端末に取り付けられている。
【図７】図７は、前記雌部材に前記雄部材を組み合わせた状態を示した構成図であり、雌部材を構成する裏板部の記載を省略して示している。
【図８】図８は、図７におけるＣ−Ｃ線位置での断面図である。
【図９】図９は、前記雌部材に前記雄部材を組み合わせた状態を示した構成図であり、雌部材を構成する裏板部の記載を省略して示している。
【図１０】図１０は、前記雄部材のアクセサリー本体への固定状態を示した断面構成図である。
【図１１】図１１は、前記携帯端末用アクセサリーの使用状態を示した斜視構成図である。
【図１２】図１２は、前記携帯端末用アクセサリーの使用状態を示した斜視構成図である。
【図１３】図１３は、前記携帯端末用アクセサリーの使用状態を示した斜視構成図である。
【図１４】図１４は、前記携帯端末用アクセサリーの使用状態を示した斜視構成図である。
【発明を実施するための形態】
【００１３】
以下、図１〜図１４に基づいて、この発明の典型的な実施の形態について、説明する。この実施の形態にかかる携帯端末用アクセサリーは、スマートフォンやタブレットなどの一面を表示面Ｔａとした板状の携帯端末Ｔ（携帯端末装置）における前記表示面Ｔａと反対の背面Ｔｂに直接又は間接的に取り付けられて、この携帯端末Ｔのホルダーとしての機能、及び、スタンドとしての機能を発揮するものである。
【００１４】
典型的には、この実施の形態にかかる携帯端末用アクセサリーは、板状ないし盤状の携帯端末Ｔ、具体的には、スマートフォンやタブレット型のパーソナルコンピュータなどの表示面Ｔａと反対の背面Ｔｂに直接又は間接的に取り付けられて、これらの携帯端末Ｔのホルダーとしての機能、及び、スタンドとしての機能を発揮するものである。
【００１５】
図１０〜図１４は、後述のアクセサリー本体３を、ぬいぐるみとした例を示している。図１２に示される状態において、アクセサリー本体３と携帯端末Ｔとの間に片手の指の親指以外の指の全部又は一部を差し込むようにすることで、携帯端末Ｔを片手で安定的に持つことができる。この態様において、携帯端末用アクセサリーは、携帯端末Ｔのホルダーとしての機能を発揮する。
【００１６】
また、図１３及び図１４に示されるように、アクセサリー本体３を利用して携帯端末Ｔを机やテーブルなどの上に立て置くことができる。後述の雄部材２は、後述の雌部材１内に、割溝８に頸部１６を通過させた状態で頭部１５を導入して組み合わされ、かつ、雄部材２を回動中心とするようにしてアクセサリー本体３に対する携帯端末Ｔの向きを必要に応じて自由に変えることができるようになっている。これにより、携帯端末Ｔが長方形である場合、その長辺側が縦向きになるようにアクセサリー本体３で支持することも（図１３／縦置き）、その短辺側が縦向きになるようにアクセサリー本体３で支持することも（図１４／横置き）、可能となっている。この態様において、携帯端末用アクセサリーは、携帯端末Ｔのスタンドとしての機能を発揮する。
【００１７】
かかる携帯端末用アクセサリーは、雌部材１と、雄部材２を備えたアクセサリー本体３とからなる。雄部材２は前記雌部材１に取り外し可能に組み合わされる。
【００１８】
アクセサリー本体３は、携帯端末Ｔと組み合わされた状態において、前記ホルダーとしての機能、及び、スタンドとしての機能を発揮し得る構成のものであれば足り、ぬいぐるみや合成樹脂製の造形物など、その具体的構成は問われない。
【００１９】
雄部材２は、前記アクセサリー本体３から突き出した部分１４を有する。雄部材２は、頭部１５と頸部１６とを備えている。図示の例では、雄部材２は、円板状の頭部１５と、この頭部１５よりも外径を小さくする軸状の頸部１６と、円板状のフランジ１７と、アクセサリー本体３の内部に差し込まれる軸状脚部１８とを一体に備えた構成となっている。フランジ１７の一面側の中央に軸状脚部１８の一端が一体化されている。フランジ１７の他面側の中央に前記頸部１６の一端が一体化され、頭部１５の中央に頸部１６の他端が一体化されている。図示の例では、アクセサリー本体３の外面３ａにフランジ１７が接するようにアクセサリー本体３内に差し込まれた軸状脚部１８に、図１０中符号４で示すワッシャーを留め付けることで、前記頸部１６と頭部１５とが前記突き出した部分１４となるようにしてアクセサリー本体３に雄部材２を備え付けている。図１０中符号５で示すのは、ワッシャー４とアクセサリー本体３の外皮３ａとの間に介在される芯材である。
【００２０】
雌部材１は、携帯端末Ｔの表示面Ｔａと反対の背面Ｔｂに直接又は間接的に取り付けられる。携帯端末Ｔが少なくともその背面Ｔｂを覆う公知の保護ケースないし保護カバーに納められている場合は、雌部材１は携帯端末Ｔの背面Ｔｂとの間にこれら保護ケースないし保護カバーにおける携帯端末Ｔの背面Ｔｂを覆う部分を介在させた状態で携帯端末Ｔの表示面Ｔａと反対の背面Ｔｂ側に間接的に取り付けられる。
【００２１】
雌部材１は、前記雄部材２の前記頸部１６は通過させるが前記頭部１５は通過させない幅の割溝８が形成された表板部６と、外面７ａを前記携帯端末Ｔの前記背面Ｔｂに対する取付面７ｄとした裏板部７とを、両者間に前記雄部材２の前記頭部１５を納める間隔を開けて組み合わさせてなる。
【００２２】
前記割溝８の一端８ａは前記雌部材１の前記表板部６の縁部において外方に開放されており、前記割溝８の前記一端８ａから前記表板部６と前記裏板部７との間に前記雄部材２の前記頭部１５を導入可能となっている。
【００２３】
それと共に、前記割溝８の前記一端８ａと閉塞された他端８ｂとの間において、内蔵される弾性部材９ａによって抜け止め部９が形成されており、前記頭部１５は前記抜け止め部９を構成する前記弾性部材９ａを弾性変形させながら前記抜け止め部９より奥に導入されるようになっている。
【００２４】
図示の例では、雌部材１は、卵形の輪郭を持った板状を呈している。表板部６には、Ｌ字状をなすように割溝８が形成されている。前記割溝８は、前記一端８ａと前記他端８ｂとの間で屈曲しており、屈曲箇所８ｅと前記一端８ａとの間の第一部分８ｃに対し、前記屈曲箇所８ｅと前記他端８ｂとの間の第二部分８ｄを直交させるように配している。図示の例では、第二部分８ｄは、前記卵形の中心を通る仮想の長軸ｘに沿うように形成されている。第二部分８ｄにおける前記他端８ｂは、前記長軸ｘ上に位置される前記卵形の一方の頂部１０よりも内方に位置し、雌部材１の外方に開放されていない。前記屈曲箇所８ｅは前記卵形の中心を通る仮想の短軸ｙと前記長軸ｘ上に位置される前記卵形の他方の頂部１１との間に位置している。第一部分８ｃは、前記短軸ｙと前記卵形の他方の頂部１１との間において、前記短軸ｙに平行をなすように形成されている。第一部分８ｃにおける前記一端８ａは、前記長軸ｘを挟んだ一方側において外方に開放されている。
【００２５】
図示の例では、表板部６の内面６ａには、前記割溝８を縁取るように凹部６ｂが形成されており、この凹部６ｂによって、前記一端８ａから雌部材１内に前記雄部材２の頭部１５を導入できるようになっている。図示の例では、前記割溝８の一方側に位置される凹部６ｂによって形成された段差６ｃと、前記割溝８の他方側に位置される前記凹部６ｂによって形成された段差６ｃとの間の距離が、前記頭部１５の直径と実質的に同一となっている。また、割溝８の他端８ｂは断面円形の軸状をなす前記頸部１６の輪郭に倣った半円状を呈していると共に、前記割溝８の他端８ｂを縁取る凹部６ｂによって形成された段差６ｃは前記頭部１５の輪郭に倣った半円状を呈している（図４）。
【００２６】
この実施の形態にあっては、前記抜け止め部９は前記第二部分８ｄ側に形成されている。また、前記第二部分８ｄに、前記割溝８の連続方向に間隔を開けて二つの抜け止め部９を形成させている。
【００２７】
図示の例では、各抜け止め部９は、前記割溝８の第二部分８ｄを挟んだ両側に、リング状の弾性部材９ａを配することで構成されている。かかる弾性部材９ａは、典型的には、シリコンゴムなどのゴム状弾性を備えたプラスチック（プラスチックエラストマー）から構成される。図示の例では、表板部６の内面６ａであって、前記短軸ｙ上に位置される箇所に、前記凹部６ｂに連通した前記弾性部材９ａの収納凹部６ｄを形成させている。それと共に、表板部６の内面６ａであって、前記短軸ｙと前記割溝８の他端８ｂとの間に位置される箇所に、前記凹部６ｂに連通した前記弾性部材９ａの収納凹部６ｄを形成させている。各収納凹部６ｄ内は、リング状の弾性部材９ａのリング中心の穴に挿通される位置決め突起６ｅが形成されており、弾性部材９ａはこの位置決め突起６ｅを前記リング中心の穴に通してこのリングの中心軸を表板部６の内面６ａに直交させる向きで収納凹部６ｄ内に保持されるようになっている。一つの抜け止め部９を構成する左右の弾性部材９ａ間の距離は、雄部材２の頭部１５の直径よりもやや小さくなっている。
【００２８】
裏板部７は、内面７ｂを表板部６の内面６ａに密着させた状態で、表板部６と一体化される。図示の例では、割溝８を縁取る前記凹部６ｂの底面と裏板部７の内面７ｂ間の距離が、雄部材２の頭部１５の厚さと実質的に等しくなっている。
【００２９】
また、図示の例では、表板部６の内面６ａに形成された符号６ｆで示す穴に、裏板部７の内面７ｂから突き出す符号７ｃで示す突起を納めた状態で、裏板部７の内面７ｂと表板部６の内面６ａの全部又は一部を止着させるようにしている。この止着は、表板部６と裏板部７とを共に熱溶着可能な合成樹脂から構成している場合は、熱溶着により適切になすことができる。
【００３０】
裏板部７の外面７ａ、すなわち、表板部６との止着側と反対の面が、前記携帯端末Ｔの前記背面Ｔｂ側に対する取付面７ｄ、すなわち、前記携帯端末Ｔの前記背面Ｔｂに直接取り付けられる取付面７ｄ、又は、前記保護ケースないし保護カバーにおける携帯端末Ｔの背面Ｔｂを覆う部分に対して取り付けられる取付面７ｄとなっている。図示の例では、かかる取付面７ｄには粘着材層１２が形成されており、これを覆う剥離シート１３を剥がし、取付面７ｄを携帯端末Ｔの背面Ｔｂに押しつけることで、雌部材１を携帯端末Ｔの背面Ｔｂの所望の位置に取り付けることができるようになっている。
【００３１】
雌部材１を前記取付面７ｄを利用して携帯端末Ｔに取り付けた状態から、割溝８の第一部分８ｃに割溝８の一端８ａより、頭部１５の厚さ方向と雌部材１の厚さ方向とを揃えるようにして、雄部材２の頭部１５を雌部材１内に導入し、頭部１５が屈曲箇所８ｅに至った後、この頭部１５を第二部分８ｄに押し込むように操作すると、二カ所の抜け止め部９のうちの屈曲箇所８ｅ側に位置される抜け止め部９を構成する弾性部材９ａに頭部１５を押し当てて弾性変形を生じさせることができる。そして、この弾性変形により、この抜け止め部９よりも割溝８の奥側、つまり、他端８ｂ側に頭部１５を導入することができる。この抜け止め部９よりも奥に頭部１５が導入されると、弾性部材９ａが弾性復帰して雄部材２の頭部１５が雌部材１内に保持され、携帯端末Ｔの背面Ｔｂ側にアクセサリー本体３が取り付けられる。前記割溝８の一方側に位置される凹部６ｂによって形成された段差６ｃと前記割溝８の他方側に位置される前記凹部６ｂによって形成された段差６ｃとの間の距離は前記頭部１５の直径と実質的に同一であり、加えて、割溝８を縁取る前記凹部６ｂの底面と裏板部７の内面７ｂ間の距離は雄部材２の頭部１５の厚さと実質的に等しくなっていることから、アクセサリー本体３は携帯端末Ｔの背面Ｔｂ側にがたつき少なく取り付けられる。
【００３２】
頭部１５は雌部材１内に保持されるが、頭部１５は円板状をなし、その外周の一部を弾性部材９ａに接しさせて前記のように保持されていることから、雄部材２を回動中心としてアクセサリー本体３の向きを自由に変えることが可能となっている。
【００３３】
図示の例では、割溝８の第二部分８ｄに導入された頭部１５は、先ず、二カ所の抜け止め部９間において保持される（図７）。このときは、頭部１５は、リング状をなす四つの弾性部材９ａの外周にそれぞれ頭部１５の外周を点接触させるようにした態様で、四つの弾性部材９ａの中央に保持される。この状態から、さらに、割溝８の奥側、つまり、他端８ｂ側に頭部１５を押し込むように操作すると、二カ所の抜け止め部９のうちの割溝８の他端８ｂ側に位置される抜け止め部９を構成する弾性部材９ａに頭部１５を押し当てて弾性変形を生じさせることができる。そして、この弾性変形により、この抜け止め部９と割溝８の奥側、つまり、他端８ｂ側との間に頭部１５を導入して、この位置で雌部材１内に頭部１５を保持することができる（図９）。このように割溝８の最も奥で雄部材２の頭部１５を保持した状態においても、割溝８の他端８ｂ及びこれを縁取る凹部６ｂの段差６ｃは前記のような半円状を呈していることから、この状態においても雄部材２を回動中心としてアクセサリー本体３の向きを自由に変えることが可能となっている。
【００３４】
携帯端末Ｔからのアクセサリー本体３の取り外しや、交換が必要になった場合には、アクセサリー本体３を把持するなどして前記割溝８の一端８ａ側に雄部材２の頭部１５を移動させるように操作することで、前記弾性部材９ａを再び弾性変形させて、前記割溝８の一端８ａ側まで雄部材２の頭部１５を移動させ、雄部材２の頭部１５を雌部材１内から抜き出させる。雄部材２を備えたアクセサリー本体３を複数用意しておけば、雌部材１を取り付けた携帯端末Ｔに対し、所望のアクセサリー本体３を交換・取り付けて、携帯端末Ｔを利用することが可能となる。
【００３５】
なお、当然のことながら、本発明は以上に説明した実施態様に限定されるものではなく、本発明の目的を達成し得るすべての実施態様を含むものである。
【符号の説明】
【００３６】
１  雌部材
２  雄部材
６  表板部
７  裏板部
７ａ  外面
７ｄ  取付面
８  割溝
８ａ  一端
８ｂ  他端
９  抜け止め部
９ａ  弾性部材
１５  頭部
１６  頸部
【図１】
2020088560.tif 000003
【図２】
2020088560.tif 000004
【図３】
2020088560.tif 000005
【図４】
2020088560.tif 000006
【図５】
2020088560.tif 000007
【図６】
2020088560.tif 000008
【図７】
2020088560.tif 000009
【図８】
2020088560.tif 000010
【図９】
2020088560.tif 000011
【図１０】
2020088560.tif 000012
【図１１】
2020088560.tif 000013
【図１２】
2020088560.tif 000014
【図１３】
2020088560.tif 000015
【図１４】
2020088560.tif 000016